(57)【要約】【課題】手又は足の甲を飾ること。構成部品点数の少ないシンプルな構造の提供。サイズ調整を容易にする。【解決手段】柔軟かつ細長の長尺部材１０と、該長尺部材の両端寄りの部位同士を連結して該長尺部材をループ状に形成する第１の留め具２１と、前記ループ状に形成された長尺部材の２箇所の部位同士を連結して第１のリング部Ｌ１を形成する第２の留め具２２と、前記ループ状に形成された長尺部材のうち第１のリング部以外の２箇所の部位同士を連結して第２のリング部を形成する第３の留め具２３とを備える。第１のリング部Ｌ１を使用者の手首又は足首に装着し、第２のリング部Ｌ２を同じ手又は足の指に装着する。第１及び第２の留め具が前記長尺部材に対する止め位置をそれぞれ可変しうる構成からなり、装着した状態で第１の留め具の止め位置を調整することにより、当該装身具が使用者の手又は足に密着するように装着できる。【選択図】図１
0003156375.tif 000002
【実用新案登録請求の範囲】
【請求項１】
柔軟かつ細長の長尺部材と、
前記長尺部材の両端寄りの部位同士を連結して該長尺部材をループ状に形成する第１の留め具と、
前記ループ状に形成された長尺部材の２箇所の部位同士を連結する第２の留め具であって、前記第１の留め具と該第２の留め具との間の前記長尺部材の部分によって第１のリング部を形成する前記第２の留め具と、
前記ループ状に形成された長尺部材のうち前記第１のリング部以外の２箇所の部位同士を連結して、端部寄りに第２のリング部を形成する第３の留め具と
を備え、前記第２及び第３の留め具が使用者の手又は足の甲の側に位置するように前記第１のリング部を使用者の手首又は足首に装着し且つ前記第２のリング部を同じ手又は足の指に装着する装身具であって、
前記第１及び第２の留め具が前記長尺部材に対する止め位置をそれぞれ可変しうる構成からなり、前記第１のリング部を使用者の手首又は足首に通し且つ前記第２のリング部を同じ手又は足の指に掛けた状態で前記第１の留め具の止め位置を調整することにより、当該装身具が使用者の手又は足に密着するように装着できることを特徴とする装身具。
【請求項２】
前記第３の留め具が前記長尺部材に対する止め位置を可変しうるものであることを特徴とする請求項１に記載の装身具。
【請求項３】
柔軟かつ細長の長尺部材と、
前記長尺部材の両端寄りの部位同士を連結して該長尺部材をループ状に形成する第１の留め具と、
複数の第２の留め具であって、該第２の留め具の各々が前記ループ状に形成された長尺部材の２箇所の部位同士をそれぞれ連結し、これにより１つの第１のリング部を形成すると共に該第１のリング部から枝状に延びた複数の第２のリング部を形成するものと
を備え、前記第２の留め具が使用者の手又は足の甲の側に位置するように前記第１のリング部を使用者の手首又は足首に装着し且つ前記複数の第２のリング部を同じ手又は足の指に装着する装身具であって、
前記第１及び第２の留め具が前記長尺部材に対する止め位置をそれぞれ可変しうる構成からなり、前記第１のリング部を使用者の手首又は足首に通し且つ前記複数の第２のリング部を同じ手又は足の指に掛けた状態で前記第１の留め具の止め位置を調整することにより、当該装身具が使用者の手又は足に密着するように装着できることを特徴とする装身具。
【請求項４】
前記各留め具の少なくとも１つには飾り部品が取り付けられていることを特徴とする請求項１乃至３のいずれかに記載の装身具。
【請求項５】
前記各留め具がスライド式留め具からなる請求項１乃至４のいずれかに記載の装身具。
【考案の詳細な説明】
【技術分野】
【０００１】
本考案は、人の手指と手首（又は足指と足首でもよい）に装着し、手指と手首間の手甲（又は足甲でもよい）を飾ることができるようにした装身具に関する。
【背景技術】
【０００２】
人の手指と手首に対応付けて設けられたリングを介して人の手指と手首に装着し、手指と手首に対する各装着用リング間を連結部材で連結して手指、手首若しくは手甲を飾ることができるようにした装身具としては、下記特許文献１〜５に示されたものがある。
【０００３】
下記特許文献１には、１つの小リングと大リングを１本の金属製チェーンで連結し、小リングを手指に装着し、大リングを手首に装着するようにした手飾り具が示されている。
【０００４】
下記特許文献２には、３つの小リングのそれぞれと１つの大リングを合計３本の金属製チェーンで連結し、各小リングを複数の手指に装着し、大リングを手首に装着するようにしたブレスレットが示されている。
【０００５】
下記特許文献３には、３つの小リングのそれぞれと１つの大リングを合計３本の金属製チェーンで連結し、かつ、各チェーン間を何本かの短いチェーンで連結し、各小リングを複数の手指に装着し、大リングを手首に装着するようにしたブレスレットが示されている。
【０００６】
下記特許文献４には、１つの指輪とブレスレットとの間を３本の金属製チェーンで連結し、指輪を手指に装着し、ブレスレットを手首に装着するようにした指輪付ブレスレット・アクセサリーが示されている。
【０００７】
下記特許文献５には、腕時計バンド式に巻径を調節できるように構成したブレスレットと指輪の間を三角形状の伸縮性シート素材からなる手甲装飾部で連結し、指輪を手指に装着し、大リングを手首に装着するようにした手甲用装飾品が示されている。
【０００８】
下記特許文献６〜１０には、使用者の手の甲又は足の甲を飾る装飾品についての発明若しくは考案が示されている。
【先行技術文献】
【特許文献】
【０００９】
【特許文献１】意匠登録第２８６８１７号
【特許文献２】意匠登録第１００３１９３号
【特許文献３】意匠登録第１０９４３０３号
【特許文献４】意匠登録第１１５０８５３号
【特許文献５】意匠登録第１３３６５９６号
【特許文献６】特開２００１−９５６１０号公報
【特許文献７】特開２０００−７００１７号公報
【特許文献８】実開昭６０−１２０６１４号マイクロフィルム
【特許文献９】実開昭６０−８６１２０号マイクロフィルム
【特許文献１０】実開昭５０−１５０５９０号マイクロフィルム
【考案の概要】
【考案が解決しようとする課題】
【００１０】
上述した各従来技術にあっては、指に取り付ける小リングと手首に取り付ける大リングとの間を連結する連結部材は、固定の長さからなっており、どんなサイズの手にも合わせることができるようにはなっていなかった。
【００１１】
また、小リング、大リング、連結部材は別々の部品からなっていたため、部品点数が多く、コスト高の原因となる。また、装身具としての美観の面でも、統一性に欠けることもあった。
【００１２】
更に、指に取り付ける小リングと手首に取り付ける大リングとの間を連結する連結部材は、手の甲を飾るための主体であるにも拘わらず、連結部材それ自体（例えばチェーンそれ自体）の材質又は形状のみによってしか装飾性を表現することができなかった。そのため、本格的な手の甲を飾るための装飾具として実用性に優れたものは従来存在していなかった。
【００１３】
本考案は上述の点に鑑みてなされたもので、人の手指と手首（又は足指と足首でもよい）に装着し、手指と手首間の手甲（又は足甲でもよい）を飾ることができるようにした装身具において、構成部品点数の少ないシンプルな構造を提供すること、種々の異なるサイズに容易に調整できるようにすること、及び、豊かな装飾性を表現できるようにするための構造を提供すること、のいずれか少なくとも１つを達成できるようにすることを目的とする。
【課題を解決するための手段】
【００１４】
請求項１に係る本考案の装身具は、柔軟かつ細長の長尺部材と、前記長尺部材の両端寄りの部位同士を連結して該長尺部材をループ状に形成する第１の留め具と、前記ループ状に形成された長尺部材の２箇所の部位同士を連結する第２の留め具であって、前記第１の留め具と該第２の留め具との間の前記長尺部材の部分によって第１のリング部を形成する前記第２の留め具と、前記ループ状に形成された長尺部材のうち前記第１のリング部以外の２箇所の部位同士を連結して、端部寄りに第２のリング部を形成する第３の留め具とを備え、前記第２及び第３の留め具が使用者の手又は足の甲の側に位置するように前記第１のリング部を使用者の手首又は足首に装着し且つ前記第２のリング部を同じ手又は足の指に装着する装身具であって、前記第１及び第２の留め具が前記長尺部材に対する止め位置をそれぞれ可変しうる構成からなり、前記第１のリング部を使用者の手首又は足首に通し且つ前記第２のリング部を同じ手又は足の指に掛けた状態で前記第１の留め具の止め位置を調整することにより、当該装身具が使用者の手又は足に密着するように装着できることを特徴とする。例えば、これは図１の実施例に対応する。
【００１５】
これによれば、前記第２及び第３の留め具が使用者の手又は足の甲の側に位置するように前記第１のリング部を使用者の手首（又は足首）に装着し且つ前記第２のリング部を同じ手（又は足）の指に装着することで、前記第１のリング部と前記第２のリング部との間の前記長尺部材部分が使用者の手（又は足）の甲に配置されることとなり、この長尺部材部分で使用者の手（又は足）の甲を飾ることができる。ここで、前記第２の留め具のみならず前記第１の留め具が前記長尺部材に対する止め位置を可変しうる構成からなり、前記第１のリング部を使用者の手首又は足首に通し且つ前記第２のリング部を同じ手又は足の指に掛けた状態で前記第１の留め具の止め位置を調整することにより、当該装身具が使用者の手又は足に密着するように装着できるので、装着しやすく、また、装着後に手又は足をどのように動かしても本装身具が外れることがなく、機能性に優れている。また、全体として、1連の柔軟な長尺部材と、複数の留め具とで構成されているので、手（又は足）の甲を飾る装身具において、構成部品点数の少ないシンプルな構造を提供することができる、という効果を奏する。また、1連の柔軟な長尺部材（例えば貴金属製チェーン）で第１及び第２のリング部とその間の連結部を含む全体が構成されるので、統一性が取れることで装身具としてのデザイン性に優れ、美観向上に寄与する。
【００１６】
また、前記第２の留め具が、前記長尺部材に対する止め位置を可変しうるものであることにより、使用者の手首（又は足首）に掛けられた前記第１のリング部の根元（第２の留め具の位置）から同じ手（又は足）の指に掛けられた前記第２のリング部までの前記長尺部材部分の長さを調整することができることとなり、使用者の手（又は足）の甲のサイズに合わせたサイズ調整を容易に行うことができる、という効果を奏する。また、前記第１の留め具の可変調整と相まって、該第２の留め具を可変調整することにより、当該装身具が使用者の手又は足により一層フイットするように装着できる。
【００１７】
一例として、前記第３の留め具は、前記長尺部材に対する止め位置を可変しうるものである。これにより、指に掛けられる前記第２のリング部のサイズを可変調整することができ、使用者の指のサイズに合わせた調整を容易に行うことができるようになる。
【００１８】
また、前記第１の留め具が前記長尺部材に対する止め位置を可変しうるものであることにより、手首（又は足首）に掛けられる前記第１のリング部のサイズを可変調整することができ、使用者の手首（又は足首）のサイズに合わせた調整を容易に行うことができるようになる。また、第１の留め具の止め位置の調整により、長尺部材のループサイズを調整することができ、第１及び第２のリング部が柔軟性を持つことと相俟って、結果的に、使用者の手（又は足）の甲のサイズに合わせた調整を行うことができることにもなる。
【００１９】
本考案の一実施態様によれば、前記第１のリング部と前記第２のリング部との間の前記長尺部材の任意の部位においてその止め位置を可変しうるように少なくとも１つの追加の留め具を更に備え、該追加の留め具には飾り部品が取り付けられていること特徴とする。前記第１のリング部と前記第２のリング部との間の前記長尺部材の部分は、使用者の手（又は足）の甲を飾る部分であり、この部分に飾り部品が取り付けらた追加の留め具を配置したことにより、使用者の手（又は足）の甲を飾り部品によって飾ることができることとなり、豊かな装飾性を表現できるようにするための新規な構造を提供することができる、という効果を奏する。加えて、追加の留め具の止め位置を可変することにより、使用者の手（又は足）の甲における飾り部品の配置位置を使用者が自由に変更することができる、という効果を奏する。
【００２０】
本考案の別の一実施態様によれば、前記第１乃至第３の留め具の少なくとも１つには飾り部品が取り付けられていること特徴とする。このように各留め具に飾り部品が取り付けることにより、豊かな装飾性を表現できるようにするための新規な構造を提供することができる。
【００２１】
請求項３に係る本考案の装身具は、柔軟かつ細長の長尺部材と、前記長尺部材の両端寄りの部位同士を連結して該長尺部材をループ状に形成する第１の留め具と、複数の第２の留め具であって、該第２の留め具の各々が前記ループ状に形成された長尺部材の２箇所の部位同士をそれぞれ連結し、これにより１つの第１のリング部を形成すると共に該第１のリング部から枝状に延びた複数の第２のリング部を形成するものとを備え、前記第２の留め具が使用者の手又は足の甲の側に位置するように前記第１のリング部を使用者の手首又は足首に装着し且つ前記複数の第２のリング部を同じ手又は足の指に装着する装身具であって、前記第１及び第２の留め具が前記長尺部材に対する止め位置をそれぞれ可変しうる構成からなり、前記第１のリング部を使用者の手首又は足首に通し且つ前記複数の第２のリング部を同じ手又は足の指に掛けた状態で前記第１の留め具の止め位置を調整することにより、当該装身具が使用者の手又は足に密着するように装着できることを特徴とする。これによっても、前記請求項１に係る本考案と同様の効果を奏する。例えば、これは図６の実施例に対応する。
【図面の簡単な説明】
【００２２】
【図１】本考案の第１実施例に係る装身具の上面図。
【００２３】
【図２】図１における１つの留め具を裏側から見た拡大斜視図。
【００２４】
【図３】図１に示す装身具の手への装着例を示す図。
【００２５】
【図４】本考案の第２実施例に係る装身具の上面図。
【００２６】
【図５】本考案の第３実施例に係る装身具の上面図。
【００２７】
【図６】本考案の第４実施例に係る装身具の上面図。
【考案を実施するための形態】
【実施例１】
【００２８】
図１において、本考案の一実施例に係る装身具１は、１連の貴金属製のチェーン１０と、複数の留め具２１〜２４と、そのうちのいくつかの留め具２２〜２４の上に取り付けた貴金属製の飾り部品３２〜３４とで構成されている。なお、図１においては、飾り部品３２〜３４が取り付けられた留め具２２〜２４は該飾り部品３２〜３４の下側に位置しているので見えていない。また、図示例では、各飾り部品３２〜３４は桜の花びらを模したデザインからなっているが、これに限らず、どのようなデザイン及び材質等からなるものであってもよいのは勿論である。
【００２９】
第１の留め具２１は、チェーン１０の両端寄りの部位同士を連結するためのものであり、該チェーン１０をループ状に（エンドレスに）形成する。この例では、チェーン１０の一端１０ａに第１の留め具２１が容易には離脱しないように取り付けられており、この第１の留め具２１内の円筒空間にチェーン１０の他端１０ｂ寄りの部分が挿入されている。図中、番号１０ｃは、２つ折りされたチェーン１０の折点に該当する部位を参考のために示している。勿論、チェーン１０は柔軟であるため、折点に該当する部位１０ｃは固定された部位ではない。第１の留め具２１は、スライド式留め具としてこの技術分野では公知のものであり、全体として１つの円筒形状を成した第１の留め具２１の外側円筒は貴金属製であり、その内側にシリコン等の幾分の硬さと弾力性とを兼ね備えた素材からなる円筒部材が収納されている。留め具２１内の円筒空間に挿入されたチェーン１０の部分は、内側のシリコン円筒部材によって圧迫されることで、所定以上の大きな力が加えられない限りそのままの位置で止められる。例えば、使用者の手に装着する前に各部分のサイズを調整する場合は、取り扱い者の一方の手の指で留め具２１を押さえて、他方の手の指で留め具２１内の円筒空間に挿入されたチェーン１０をつまんで矢印方向（長さ方向）に動かすことにより、留め具２１に対してチェーン１０が変位し、これにより、チェーン１０に対する留め具２１の止め位置を可変調整することができる。勿論、使用者の手に装着した状態においても、上記に準じたやり方で、各部分のサイズを適宜調整することができる。なお、チェーン１０の他端１０ｂには任意の飾り部品３１が設けられており、この飾り部品３１は飾り機能を果たすのみならず、チェーン１０の他端１０ｂが留め具２１から外れることを防止するストッパーとしても機能する。
【００３０】
第２の留め具２２は、上記のようにループ状に（エンドレスに）形成されたチェーン１０の２箇所の部位同士を連結するためのものであって、これにより第１のリング部Ｌ１を形成する。図示の例では、第１の留め具２１と該第２の留め具２２との間のチェーン１０の２本の部分によって第１のリング部Ｌ１が形成される。
【００３１】
図２は、留め具２２を裏側から見た拡大斜視図である。この留め具２２は、２つの円筒状のスライド式留め具２２ａ，２２ｂを隣接して平行配置してなり、これらのスライド式留め具２２ａ，２２ｂをフレーム２２ｃ内に収納して接着又はかしめ加工又はその他の手段によってフレーム２２ｃに固定している。また、図２において裏面を見せている飾り部品３２は接着等の手段によってフレーム２２ｃに固定され、留め具２２と飾り部品３２とが一体化される。第２の留め具２２における各スライド式留め具２２ａ，２２ｂは、前述の第１の留め具２１と同様の構造からなっており、それぞれの円筒空間にチェーン１０を挿入してなり、挿入されたチェーン１０の部分は内側のシリコン円筒部材によって圧迫されることで、所定以上の大きな力が加えられない限りそのままの位置で止められる。例えば、取り扱い者の一方の手の指で留め具２２を押さえて、他方の手の指で留め具２２内の円筒空間に挿入されたチェーン１０の２本の部分のうちの一方又は両方をつまんで矢印方向（長さ方向）に動かすことにより、留め具２２に対してチェーン１０が変位し、これにより、チェーン１０に対する留め具２２の止め位置を可変調整することができる。
【００３２】
第３の留め具２３は、上記のようにループ状に（エンドレスに）形成されたチェーン１０のうち前記第１のリング部Ｌ１以外の２箇所の部位同士を連結するためのものであって、これにより第２のリング部Ｌ２を形成する。図示の例では、該第３の留め具２３とチェーン１０の折り返し（１０ｃ）との間の該チェーン１０の部分によって第２のリング部Ｌ２が形成される。第３の留め具２３の構造は、上述した第２の留め具２２と同様であり、フレーム内に２つの円筒状のスライド式留め具を隣接して平行配置し、かつ上面に飾り部品３３を取り付けてなる。こうして、チェーン１０に対する第３の留め具２３の止め位置を可変調整することができる。
【００３３】
第４の留め具２４は、オプションとして追加的に設けられるものであり、第１のリング部Ｌ１と第２のリング部Ｌ２との間のチェーン１０の２箇所の部位同士を連結する。第４の留め具２４の構造は、上述した第２の留め具２２と同様であり、フレーム内に２つの円筒状のスライド式留め具を隣接して平行配置し、かつ上面に飾り部品３４を取り付けてなる。こうして、チェーン１０に対する第４の留め具２４の止め位置を可変調整することができる。この第４の留め具２４は、手（又は足）の甲を飾り部品３４で飾るための飾り部品取り付け構造として機能するものであり、かつ、その止め位置を可変調整できることにより、手（又は足）の甲を飾るための飾り部品３４の配置を使用者が自由に変更できる、という優れた機能を提供するものである。なお、第４の留め具２４のような追加の留め具は１個に限らず、複数個設けてもよい。あるいは、そのような追加の留め具２４を省略してもよい。また、第４の留め具２４の構造は、チェーン１０の２箇所の部位同士を連結する構造に限らず、チェーン１０の１箇所の部位でのみ任意に止めることができるような構造（つまり、１つの円筒状のスライド式留め具からなる構造）であってもよい。
【００３４】
一例として、この実施例に係る装身具１は手の甲を飾るためのものである。この装身具１の身体への装着法について説明する。まず、チェーン１０に対する第２の留め具２２の止め位置を可変調整することで、第１のリング部Ｌ１と第２のリング部Ｌ２との間のチェーン１０の部分の長さを使用者の手の甲のサイズに合わせて調整することができる。つまり、図１において、概ね、折点１０ｃから第２の留め具２２までの長さを該第２の留め具２２の止め位置を調整することで可変することができ、これにより、使用者の手の甲のサイズに合わせたサイズ調整をすることができる。また、第１の留め具２１の止め位置を適宜調整することで第１のリング部Ｌ１のサイズを、使用者の手首サイズに合わせることができる。また、第３の留め具２３の止め位置を適宜調整することで第２のリング部Ｌ２のサイズを、使用者の手指のサイズに合わせることができる。こうして、各留め具の止め位置調整を行った上であるいは行いつつ、図３に示すように、第１のリング部Ｌ１を使用者の手首に装着し、第２のリング部Ｌ２を同じ手のいずれかの指（例えば人指し指）に装着する。これにより、第２乃至第４の留め具２２〜２４に取り付けられた複数の飾り部品３２〜３４で使用者の手の甲を飾ることができ、かつ、それらの飾り部品３２〜３４の配置を自由に動かすことができる。なお、上記とは逆に、第１のリング部Ｌ１を指に装着し、第２のリング部Ｌ２を手首に装着してもよく、そのような使用形態も本考案の範囲に含まれる。つまり、「第１」と「第２」の関係を逆にしても考案の要旨は変わらない。
【００３５】
上記実施例においては、全ての留め具２１〜２４がチェーン１０に対する止め位置を可変できるものとしているが、その全部又は一部のチェーン１０に対する止め位置が可変できない（固定されている）ものであってもよい。例えば、全ての留め具２１〜２４がチェーン１０に対する止め位置を可変できない（固定されている）構成にあっては、全体として、1連の柔軟な長尺部材（チェーン１０）と、複数の留め具とで構成されているので、手（又は足）の甲を飾る装身具において、構成部品点数の少ないシンプルな構造を提供することができる、という効果を奏する。また、1連の柔軟な長尺部材（チェーン１０）で第１及び第２のリング部Ｌ１，Ｌ２とその間の連結部を含む全体が構成されるので、統一性が取れることで装身具としてのデザイン性に優れ、美観向上に寄与する、という効果を奏する。また、第１の留め具２１を除く他の留め具２２〜２４がチェーン１０に対する止め位置を可変できない（固定されている）にあっては、第１の留め具２１の止め位置調整によって、チェーン１０が構成するループの全体的サイズを調整することができ、第１及び第２のリング部Ｌ１，Ｌ２が柔軟性を持つことと相俟って、結果的に、使用者の手（又は足）の甲のサイズに合わせた調整を行うことができる、という効果を奏する。別の例として、第３の留め具２３がチェーン１０に対する止め位置が可変できない（固定されている）ものとする一方で、少なくとも第２の留め具２２がチェーン１０に対する止め位置を可変しうる構成としてもよく、その場合も、第１のリング部Ｌ１と第２のリング部Ｌ２との間のチェーン１０の部分の長さを使用者の手の甲のサイズに合わせて可変できるようにする、という効果を奏する。つまり、使用者の手首に掛けられた第１のリング部Ｌ１の根元の位置（第２の留め具２２の位置）を調整することで、該第１のリング部Ｌ１の根元の位置（第２の留め具２２の位置）をから同じ手（又は足）の指に掛けられた第２のリング部Ｌ２までの前記長尺部材部分の長さを調整することができるので、使用者の手（又は足）の甲のサイズに合わせたサイズ調整を行うことができる。
【実施例２】
【００３６】
上記第１実施例では、第１のリング部Ｌ１を形成するための留め具２２と第２のリング部Ｌ２を形成するための留め具２３とが別々に設けられているが、両者を（第４の留め具２４を含めて）一体化してもよい。図４はそのような変更例を第２実施例として示すものである。
【００３７】
図４において、第１の留め具２１は、図１の実施例と同様に、一連のチェーン１０の両端寄りの部位同士を連結して該チェーン１０をループ状に形成する。第２の留め具２５は、ループ状に形成されたチェーン１０の２箇所の部位同士を連結し、第１の留め具２１と該第２の留め具２５との間のチェーン１０の部分によって第１のリング部Ｌ１を形成し、前記ループ状に形成されたチェーン１０の残りの部分によって第２のリング部Ｌ２を形成する。すなわち、図４の例では、図１における第３及び第４の留め具２３，２４が省略されている。第２の留め具２５の上面には、手（又は足）の甲を飾るための飾り部品３５が取り付けられている。図示例では、第２の留め具２５に取り付けられる飾り部品３５は、図１に示した３つの飾り部品３２，３３，３４を寄せ集めて一体化したものからなっているが、これに限らず、どのような飾り部品を取り付けてもよい。第１及び第２の留め具２１，２５は、図１及び図２に示した第１及び第２の留め具２１，２２と同様に、チェーン１０に対する止め位置を可変調整できる構造のものからなる。
【００３８】
図４に示す第２実施例に係る装身具４０においても、図３と同様に、第１のリング部Ｌ１を使用者の手（又は足）首に掛け、第２のリング部Ｌ２を使用者の手（又は足）指に掛ける。勿論、その逆であってもよい。第２実施例に係る装身具４０においては、第１の留め具２１の止め位置調整によって、チェーン１０が構成するループの全体的サイズを調整することができ、第１及び第２のリング部Ｌ１，Ｌ２が柔軟性を持つことと相俟って、結果的に、使用者の手（又は足）の甲のサイズに合わせた調整を行うことができる。また、第２の留め具２５の止め位置調整によって、手（又は足）の甲を飾る飾り部品３５の配置を、使用者が自由に可変でき、かつ、使用者の手（又は足）首のサイズに合わせた調整を行えることにもなる。
【００３９】
上述では第２の留め具２５がチェーン１０に対する止め位置を可変できるものとしているが、これに限らず、チェーン１０に対する第２の留め具２５の止め位置が可変できない（固定されている）ものであってもよい。その場合でも、全体として、1連の柔軟な長尺部材（チェーン１０）と、１又は複数の留め具とで構成されているので、手（又は足）の甲を飾る装身具において、構成部品点数の少ないシンプルな構造を提供することができる、という効果を奏する。また、1連の柔軟な長尺部材（チェーン１０）で第１及び第２のリング部Ｌ１，Ｌ２とその間の連結部を含む全体が構成されるので、統一性が取れることで装身具としてのデザイン性に優れ、美観向上に寄与する、という効果を奏する。
【００４０】
更に、図４に示す第２実施例に係る装身具４０の変形例として、第１のリング部Ｌ１を形成する柔軟かつ細長の長尺部材（チェーン）と、第２のリング部Ｌ２を形成する柔軟かつ細長の長尺部材（チェーン）とを別体のチェーンで構成することも可能である。その場合、例えば、飾り部品３５を取り付ける第２の留め具２５の止め位置は固定されるようになっていてよい。すなわち、第２の留め具２５の箇所で第１のリング部Ｌ１のチェーンと第２のリング部Ｌ２のチェーンとを連結する構造であつてもよい。ただし、少なくとも使用者の手（又は足）首に装着する方の第１のリング部Ｌ１のサイズを可変できるように、第１の留め具２１を止め位置可変しうる構成とする。すなわち、このような第２実施例の変形例に係る装身具４０は、柔軟かつ細長の長尺部材（チェーン１０）によってそれぞれ形成され、互いに連結された第１及び第２のリング部Ｌ１，Ｌ２と、前記第１及び第２のリング部Ｌ１，Ｌ２の連結箇所に配置された飾り部品３５と、前記第１のリング部Ｌ１のサイズを調整する手段（第１の留め具２１）とを備え、前記第１のリング部Ｌ１を使用者の手首又は足首に装着し、前記第２のリング部Ｌ２を同じ手又は足の指に装着することを特徴とする。このような変形例によっても、上記第２実施例と同様に、第１の留め具２１の止め位置調整によって、柔軟な第１及び第２のリング部Ｌ１，Ｌ２が構成する２つのループの連結体の全体的サイズを調整することができ、第１及び第２のリング部Ｌ１，Ｌ２が柔軟性を持つことと相俟って、結果的に、使用者の手（又は足）の甲のサイズに合わせた調整を行うことができる。
【実施例３】
【００４１】
上記第１実施例では第１及び第２のリング部Ｌ１，Ｌ２の両方が一連の長尺部材（チェーン１０）によって構成されているが、これに限らず、第１及び第２のリング部Ｌ１，Ｌ２の一方を長尺部材（チェーン１０）によって構成し、他方を別の部品で構成するようにしてもよい。図５はそのような変更例を第３実施例として示すものである。
【００４２】
図５に示す第３実施例においては、本考案の装身具４１は、チェーン１０と、チェーン１０とは別部品からなる第１のリング部ＬＬ１とを含んで構成されている。チェーン１０、留め具２１、２２、２４、飾り部品３１、３２、３４は、図１に示したものと略同様の構造のものを用いており、指輪からなる第１のリング部ＬＬ１の輪の中にチェーン１０が通されている。
【００４３】
図５において、第１の留め具２１は、第１のリング部ＬＬ１にチェーン１０を通した状態で該チェーン１０の両端寄りの部位同士を連結しており、これにより、該チェーン１０をエンドレスに（環状になるように）形成する。そして、第２の留め具２２は、エンドレスに形成されたチェーン１０の２箇所の部位同士を任意の位置において連結し、第２のリング部ＬＬ２を形成する。図示の例では、第１の留め具２１と該第２の留め具２２との間のチェーン１０の２本の部分によって第２のリング部ＬＬ２が形成される。前述と同様に第２の留め具２２はチェーン１０に対する止め位置を可変しうるものであり、これにより、第１のリング部ＬＬ１と第２のリング部ＬＬ２との間のチェーン１０の部分の長さを調整することができる。
【００４４】
図５の実施例においても、第１の留め具２１の止め位置を適宜調整することで第２のリング部ＬＬ２のサイズを、使用者の手首サイズに合わせることができる。また、チェーン１０に対する第２の留め具２２の止め位置を可変調整することで、第１のリング部ＬＬ１と第２のリング部ＬＬ２との間のチェーン１０の部分の長さを使用者の手の甲のサイズに合わせて調整することができる。第３実施例においては、第２のリング部ＬＬ２を使用者の手首に装着し、第１のリング部ＬＬ１を同じ手のいずれかの指（例えば人指し指）に装着する。これにより、第２の留め具２２及び追加の留め具２４に取り付けられた複数の飾り部品３２、３４で使用者の手の甲を飾ることができ、かつ、それらの飾り部品３２、３４の配置を自由に動かすことができる。なお、上記とは逆に、チェーン１０とは別部品からなる第１のリング部ＬＬ１をブレスレットとして構成して手首に装着し、第２のリング部ＬＬ２を手指に装着するように変更してもよい。その場合、チェーン１０とは別部品からなる第１のリング部ＬＬ１を、ブレスレット等において公知の構造を採用して、そのサイズを可変できるようにしてもよい。また、追加の留め具２４は１個に限らず、複数個設けてもよいし、あるいは、追加の留め具２４を省略してもよい。
【実施例４】
【００４５】
上記第１実施例の変更例（第４実施例）として、図６に示すように、一連のチェーン１０により、手首に装着される１つの第１のリング部Ｌ１と、複数の指のそれぞれに装着される複数の第２のリング部Ｌ２ａ，Ｌ２ｂを形成するようにしてもよい。
【００４６】
図６に示す装身具４２においては、第１の留め具２１は、チェーン１０の両端寄りの部位同士を連結している。そして、複数の第２の留め具２２ａ，２２ｂによりチェーン１０の２箇所の部位同士をそれぞれ任意の位置において順次連結し、各第２の留め具２２ａ，２２ｂを起点とした２列並びのチェーン１０の腕（枝状の第２のリング部）をそれぞれ形成し、各腕の途中にそれぞれ追加の留め具（第４の留め具）２４ａ，２４ｂを配置すると共にその先端寄りにおいてそれぞれ第３の留め具２３ａ，２３ｂを配置し、該第３の留め具２３ａ，２３ｂでチェーン１０の２箇所の部位を連結することで、チェーン１０の各腕の先端において第２のリング部Ｌ２ａ，Ｌ２ｂを形成する。一方、第１の留め具２１と複数の第２の留め具２２ａ，２２ｂとの間のチェーン１０の部分によって１つの第１のリング部Ｌ１のみが形成される。第２乃至第４の留め具２２ａ，２２ｂ，２３ａ，２３ｂ，２４ａ，２４に対応して、図１と同様に、飾り部品３２ａ，３２ｂ，３３ａ，３３ｂ，３４ａ，３４ｂが取り付けられている。また、図１と同様に、各留め具２１〜２４ｂは、チェーン１０に対するその止め位置を可変調整しうる構造からなっている。一連のチェーン１０によって形成する腕の数つまり第２のリング部Ｌ２ａ，Ｌ２ｂの数は、２に限らず、それ以上であってもよい。この第４実施例においても、前記第１実施例に関して前述した変形例を全て適用してよい。すなわち、例えば、全ての留め具がチェーン１０に対するその止め位置を可変できないように固定式であってもよいし、あるいは、一部の留め具がチェーン１０に対するその止め位置を可変できないように固定式であってもよい。また、各腕Ａ１，Ａ２において、第３、第４の留め具２３ａ，２３ｂ，２４ａ，２４ｂを省略し、第２の留め具２２ａ，２２ｂのみを設けるようにしてもよい。
【００４７】
前記第２及び第３実施例に関しても、上記第４実施例と同様の変更を適用することができる。第２実施例（図４）に対して適用する場合は、１個の第１のリング部Ｌ１を形成すると共に、複数の第２の留め具２５により該第１のリング部Ｌ１から複数の第２のリング部Ｌ２の枝が延びるように形成する。第３実施例（図５）に対して適用する場合は、チェーン１０とは別部品からなる指輪形状の第１のリング部ＬＬ１を複数設け、一連のチェーン１０によりこれら複数の第１のリング部ＬＬ１を連結し、第２のリング部ＬＬ２は１つのみ形成し、この第２のリング部ＬＬ２から枝状に複数のチェーンの腕が各第１のリング部ＬＬ１に延びて、各第１のリング部ＬＬ１を通って係合するように構成する。
【００４８】
上記各実施例において、一連のチェーン１０の両端寄りの部位同士を連結するための第１の留め具２１は、図１に示したような１つの円筒状のスライド式留め具からなるものに限らず、第２乃至第４の留め具２２〜２４，２５のように、２つの円筒状のスライド式留め具を併設したもので構成してもよい。
【００４９】
また、上記各実施例において、各留め具２１〜２４，２５は、上述したような円筒状のスライド式留め具で構成されるものに限らず、他の如何なる構造の留め具を用いてもよい。
【００５０】
更に、チェーン１０は、貴金属製に限らず、通常の金属製であってもよく、あるいは合成樹脂製又は金属以外の天然素材製であってもよい。
【００５１】
また、各実施例において、チェーン１０に代えて、紐を用いてもよく、要は、柔軟かつ細長の長尺部材からなるものであればよい。紐の素材は、繊維、皮革など、どのようなものからなるものでもよい。繊維、皮革など圧縮可能な素材で紐を構成した場合、留め具としては金属製リングのようなシンプルな構造のものを用いることができる。つまり、紐をリングで圧迫して止める構造を採用することにより、シンプルな構造で止め位置を可変調整できる。また、飾り部品も貴金属に限らず、天然宝石、模造宝石など、どのようなものであってもよい。
【００５２】
上記では、本考案の装身具を手に装着する例について説明したが、足に装着して足の甲を飾ることができるように構成してもよい。
【符号の説明】
【００５３】
１，４０，４１，４２  装身具
１０  チェーン（柔軟かつ細長の長尺部材）
２１〜２４，２５  留め具
３１〜３４，３５  飾り部品
Ｌ１，Ｌ２，ＬＬ１，ＬＬ２．Ｌ２ａ，Ｌ２ｂ  リング部
【図１】
0003156375.tif 000003
【図２】
0003156375.tif 000004
【図３】
0003156375.tif 000005
【図４】
0003156375.tif 000006
【図５】
0003156375.tif 000007
【図６】
0003156375.tif 000008